(57)【要約】【課題】  操作が容易で構造がコンパクトな改良されたバックル・アセンブリを提供すること。【解決手段】  磁性バックル・アセンブリは、雄型バックル部品、雌型バックル部品、第１の係止部分、第２の係止部分、操作部品、第１の磁性部品、及び第２の磁性部品を含む。第１の磁性部品は、接続方向に沿った雄型バックル部品と雌型バックル部品との接続プロセス中に、第２の磁性部品を磁気的に引き付ける、又は磁気的に反発させる。第１の磁性部品は、雄型バックル部品と雌型バックル部品との分離を防止するために第２の磁性部品を磁気的に引き付ける、又は操作部品が第１の係止部分を第２の係止部分から係合解除するように操作され、雄型バックル部品と雌型バックル部品との分離を可能にするときに、雄型バックル部品と雌型バックル部品との分離を促進するために第２の磁性部品を磁気的に反発する。【選択図】  図１
2019098192.tif 000002
【特許請求の範囲】
【請求項１】
磁性バックル・アセンブリであって、当該磁性バックル・アセンブリは、
雄型バックル部品と、
雌型バックル部品と、
前記雄型バックル部品及び前記雌型バックル部品の一方に配置される第１の係止部分と、
前記雄型バックル部品及び前記雌型バックル部品の他方に配置され、且つ第１の係止部分と係合する第２の係止部分と、
前記雄型バックル部品及び前記雌型バックル部品の前記他方に移動可能に配置される操作部品と、
前記雌型バックル部品に配置される第１の磁性部品と、
前記雄型バックル部品に配置され、且つ第１の磁性部品と磁気的に協働する第２の磁性部品と、を有しており、
前記雄型バックル部品は、第１の係止部分と第２の係止部分との係合による接続方向に沿って前記雌型バックル部品に接続され、
第１の磁性部品は、前記接続方向に沿った前記雄型バックル部品と前記雌型バックル部品との接続プロセス中に、第２の磁性部品を磁気的に引き付ける、又は磁気的に反発させ、
第１の磁性部品は、前記雄型バックル部品と前記雌型バックル部品との分離を防止するために第２の磁性部品を磁気的に引き付ける、又は前記操作部品が第１の係止部分を第２の係止部分から係合解除するように操作され、前記雄型バックル部品と前記雌型バックル部品との分離を可能にするときに、前記雄型バックル部品と前記雌型バックル部品との分離を促進するために第２の磁性部品を磁気的に反発する、
磁性バックル・アセンブリ。
【請求項２】
第１の係止部分は弾性構造体であり、第２の係止部分は、当接構造及び係合構造を含み、前記当接構造は、前記接続方向に沿った前記雄型バックル部品と前記雌型バックル部品との前記接続プロセス中に、第１の係止部分を押して弾性変形させ、それにより第１の係止部分は摺動して前記係合構造と係合し、前記操作部品は第１の係止部分を弾性変形させるように操作され、第１の係止部分を前記係合構造から係合解除する、請求項１に記載の磁性バックル・アセンブリ。
【請求項３】
第１の係止部分は、少なくとも１つの弾性アームと、前記係合構造と係合するための少なくとも１つの係合ヘッドとを含み、前記少なくとも１つの係合ヘッドは前記少なくとも１つの弾性アームに接続され、前記少なくとも１つの弾性アームは、前記少なくとも１つの係合ヘッドを付勢して前記係合構造と係合させ、前記当接構造は、前記接続方向に沿った前記雄型バックル部品と前記雌型バックル部品との前記接続プロセス中に、前記少なくとも１つの係合ヘッドを押して前記少なくとも１つの弾性アームを弾性変形させ、それにより前記少なくとも１つの係合ヘッドは摺動して前記係合構造と係合し、前記操作部品は、少なくとも１つの弾性アームを弾性変形させるように操作され、前記少なくとも１つの係合ヘッドを前記係合構造から係合解除する、請求項２に記載の磁性バックル・アセンブリ。
【請求項４】
前記操作部品は、前記接続方向と平行な操作方向に沿って前記少なくとも１つの弾性アームを押すように操作され、前記接続方向と交差する変形方向に沿って前記少なくとも１つの弾性アームを弾性変形させ、前記少なくとも１つの係合ヘッドを前記係合構造から係合解除する、請求項３に記載の磁性バックル・アセンブリ。
【請求項５】
前記操作部品は、前記接続方向に対して傾斜した少なくとも１つの当接傾斜面を含み、前記操作部品は、前記少なくとも１つの当接傾斜面によって前記少なくとも１つの弾性アームを押して弾性変形させるように操作される、請求項４に記載の磁性バックル・アセンブリ。
【請求項６】
前記少なくとも１つの係合ヘッドは前記係合構造を取り囲み、前記少なくとも１つの当接傾斜面は、前記当接構造から離れる方向に内側から外側に向けて傾斜しており、前記操作部品は、前記少なくとも１つの当接傾斜面によって前記少なくとも１つの弾性アームを外側に押して弾性的に拡げるように操作される、請求項５に記載の磁性バックル・アセンブリ。
【請求項７】
第１の係止部分は、第２の係止部分を取り囲む少なくとも２つの弾性アームと、少なくとも２つの係合ヘッドとを含み、前記少なくとも２つの弾性アームのそれぞれが、前記少なくとも２つの係合ヘッドの対応する１つに接続される、請求項６に記載の磁性バックル・アセンブリ。
【請求項８】
少なくとも１つの伸長脚部が、前記操作部品から前記接続方向に沿って延びており、前記少なくとも１つの当接傾斜面は、前記少なくとも１つの伸長脚部に形成される、請求項６に記載の磁性バックル・アセンブリ。
【請求項９】
第１の係止部分は、前記少なくとも１つの当接傾斜面と協働するために、前記少なくとも１つの係合ヘッドに接続された前記少なくとも１つの弾性アームの基端部に配置された少なくとも１つの従動傾斜面を含み、前記操作部品は、前記少なくとも１つの当接傾斜面と前記少なくとも１つの従動傾斜面との協働によって、前記少なくとも１つの弾性アームを押して弾性変形させるように操作される、請求項８に記載の磁性バックル・アセンブリ。
【請求項１０】
凹部が、前記少なくとも１つの係合ヘッドに接続された前記少なくとも１つの弾性アームの基端部に形成され、前記少なくとも１つの伸長脚部は前記凹部内に延びており、前記少なくとも１つの従動傾斜面は前記凹部の壁に形成され、前記少なくとも１つの当接傾斜面は前記少なくとも１つの伸長脚部の端部に形成される、請求項９に記載の磁性バックル・アセンブリ。
【請求項１１】
前記少なくとも１つの当接傾斜面は、前記少なくとも１つの伸長脚部の端部に形成され、且つ前記少なくとも１つの係合ヘッドから離れる方向で前記少なくとも１つの弾性アームの先端部と協働する、請求項８に記載の磁性バックル・アセンブリ。
【請求項１２】
前記操作部品を戻すための弾性回復力を与える弾性部品をさらに含む、請求項１１に記載の磁性バックル・アセンブリ。
【請求項１３】
前記当接構造の端部は、前記接続方向に対して傾斜した第１の傾斜構造を含み、前記少なくとも１つの係合ヘッドは、第１の傾斜構造と協働する第２の傾斜構造を含み、前記当接構造は、前記少なくとも１つの係合ヘッドに跨って摺動し、第１の傾斜構造と第２の傾斜構造との協働によって前記係合構造を前記少なくとも１つの係合ヘッドと係合させる、請求項３に記載の磁性バックル・アセンブリ。
【請求項１４】
前記少なくとも１つの係合ヘッドはフックであり、前記係合構造は、前記フックに対応するフックスロットである、請求項３に記載の磁性バックル・アセンブリ。
【請求項１５】
第１の設置チャンバが前記雌型バックル部品に形成され、第２の設置チャンバが前記雄型バックル部品に形成され、第１の磁性部品は第１の設置チャンバ内に設置され、第２の磁性部品は第２の設置チャンバ内に設置される、請求項１に記載の磁性バックル・アセンブリ。
【請求項１６】
第１の設置チャンバは、前記接続方向に沿って第２の設置チャンバと整列している、請求項１５に記載の磁性バックル・アセンブリ。
【請求項１７】
第１の設置チャンバ又は第２の設置チャンバは、第２の係止部分の内側に形成される、請求項１５に記載の磁性バックル・アセンブリ。
【請求項１８】
第１の磁性部品及び第２の磁性部品の少なくとも一方が永久磁性部品である、請求項１に記載の磁性バックル・アセンブリ。
【請求項１９】
前記操作部品は、円形ボタン又は矩形ボタンである、請求項１に記載の磁性バックル・アセンブリ。
【請求項２０】
前記雄型バックル部品及び前記雌型バックル部品の前記一方が、外側カバーと、該外側カバーの内側に配置されたバックル本体とを含み、前記操作部品は、前記接続方向に沿って前記外側カバーを通って移動可能に通過する、請求項１に記載の磁性バックル・アセンブリ。
【請求項２１】
前記雄型バックル部品及び前記雌型バックル部品の前記他方及び前記外側カバーのそれぞれが、少なくとも１つのストラップを取り付けるための少なくとも１つの組付部分を含み、貫通孔が前記少なくとも１つの組付部分に形成され、前記少なくとも１つのストラップがその貫通孔を通過するのを可能にする、請求項２０に記載の磁性バックル・アセンブリ。
【請求項２２】
第２の係止部分は柱状構造であり、前記雄型バックル部品は、第２の係止部分の周りで前記雌型バックル部品に対して回転可能であり、前記雄型バックル部品及び前記雌型バックル部品の前記他方は、互いに対向する２つの組付部分を含み、前記外側カバーに対する前記２つの組付部分の位置は、前記雌型バックル部品に対する前記雄型バックル部品の回転によって調整可能である、請求項２１に記載の磁性バックル・アセンブリ。
【請求項２３】
配置孔が、第２の係止部分から離れる方向に前記外側カバーの第１面に形成され、前記操作部品は前記配置孔の内側に配置され、接続孔が、第２の係止部分に隣接する外側カバーの第２面に形成され、第２の係止部分がその接続孔を通過するのを可能にする、請求項２１に記載の磁性バックル・アセンブリ。
【請求項２４】
少なくとも１つのリブが、前記外側カバーから突出しており、且つ前記外側カバーの側壁に隣接している、請求項２１に記載の磁性バックル・アセンブリ。
【請求項２５】
前記雄型バックル部品及び前記雌型バックル部品の前記一方に配置され、且つ前記雄型バックル部品及び前記雌型バックル部品の前記一方に対して第１の位置と第２の位置との間で移動可能な保護部品をさらに含み、該保護部品は、前記保護部品が第１の位置にあるときに、前記操作部品が第１の係止部分を第２の係止部分から係合解除するのを抑制し、前記操作部品は、前記保護部品が第２の位置にあるときに、第１の係止部分を第２の係止部分から係合解除するのを許容される、請求項１に記載の磁性バックル・アセンブリ。
【請求項２６】
前記保護部品が第１の位置にあるときに、前記保護部品は前記操作部品と係合し、前記保護部品が第２の位置にあるときに、前記保護部品は前記操作部品から係合解除する、請求項２５に記載の磁性バックル・アセンブリ。
【請求項２７】
前記保護部品が第１の位置にあるときに、前記保護部品は前記操作部品を覆い、前記保護部品が第２の位置にあるときに、前記操作部品は露出される、請求項２５に記載の磁性バックル・アセンブリ。
【請求項２８】
前記操作部品は、前記接続方向と平行な操作方向に沿って前記雄型バックル部品及び前記雌型バックル部品の前記一方に摺動可能に配置され、前記保護部品は、前記接続方向と交差する摺動方向に沿って前記雄型バックル部品及び前記雌型バックル部品の前記一方に摺動可能に配置される、請求項２５に記載の磁性バックル・アセンブリ。
【請求項２９】
前記保護部品は、前記雄型バックル部品及び前記雌型バックル部品の前記一方に配置され、且つ前記雄型バックル部品及び前記雌型バックル部品の前記一方に対して第１の位置と第２の位置との間で摺動可能又は回転可能である、請求項２５に記載の磁性バックル・アセンブリ。
【請求項３０】
前記保護部品を付勢して第１の位置に摺動又は回転させる回復要素をさらに含む、請求項２９に記載の磁性バックル・アセンブリ。
【請求項３１】
前記保護部品は、カバー部分と、該カバー部分に接続されたガイド部分とを含み、前記カバー部分は、前記操作部品を選択的に覆う又は露出させ、前記ガイド部分は、前記雄型バックル部品及び雌型バックル部品の前記一方に移動可能に配置され、前記カバー部分及び前記ガイド部分は、前記接続方向に沿って互いに位置ずれしている、請求項２７に記載の磁性バックル・アセンブリ。
【請求項３２】
前記ガイド部分及び前記カバー部分の少なくとも一方は、前記雄型バックル部品及び前記雌型バックル部品の前記他方に向けて開口する中空構造である、請求項３１に記載の磁性バックル・アセンブリ。
【請求項３３】
前記保護部品は第１の端部及び第２の端部を含み、前記保護部品の第１の端部は、弾性構造体であり、且つ前記雄型バックル部品及び前記雌型バックル部品の前記一方に接続され、前記保護部品の第２の端部は、前記操作部品を覆う又は露出させるように構成される、請求項２５に記載の磁性バックル・アセンブリ。
【請求項３４】
少なくとも１つのクリアランス構造が、第２の係止部分と、前記雄型バックル部品及び前記雌型バックル部品の前記一方との少なくとも１つに形成され、第１の係止部分が第２の係止部分と係合した後に、第２の係止部分が、前記接続方向と交差するオフセット方向に沿ってオフセット位置に摺動するのを可能にし、前記雄型バックル部品及び前記雌型バックル部品の前記一方は、第２の係止部分が前記オフセット位置にあるときに、前記雄型バックル部品と前記雌型バックル部品との分離を防止するために第２の係止部分に当接する当接部分を含む、請求項１に記載の磁性バックル・アセンブリ。
【請求項３５】
第２の係止部分は、第１の係止部分と係合する少なくとも１つの第１の仕切部と、前記当接部分に当接する少なくとも１つの第２の仕切部とを含み、前記少なくとも１つのクリアランス構造は、第２の係止部分に形成された第１のクリアランス構造を含み、第１のクリアランス構造はクリアランス・スロットである、請求項３４に記載の磁性バックル・アセンブリ。
【請求項３６】
前記雄型バックル部品及び前記雌型バックル部品の前記一方は、外側カバーと、該外側カバーの内側に配置されたバックル本体とを含み、第１の係止部分は、前記バックル本体に配置され、接続孔が前記外側カバーの側面に形成され、第２の係止部分がその接続孔を通過するのを可能にし、前記少なくとも１つのクリアランス構造は、前記外側カバーに形成された第２のクリアランス構造をさらに含み、第２のクリアランス構造は、前記接続孔と連通する逃げ孔であり、前記当接部分は前記外側カバーに形成される、請求項３５に記載の磁性バックル・アセンブリ。
【請求項３７】
前記クリアランス・スロットの側壁は、第２の係止部分が前記オフセット位置にあるときに、前記逃げ孔の内壁に当接する、請求項３６に記載の磁性バックル・アセンブリ。
【請求項３８】
前記クリアランス・スロットの前記側壁の接触面と、前記逃げ孔の前記内壁の接触面とが平坦面である、請求項３７に記載の磁性バックル・アセンブリ。
【請求項３９】
前記接続孔は円弧状孔であり、前記逃げ孔は、矩形状孔であり、且つ前記円弧状孔と連通している、請求項３６に記載の磁性バックル・アセンブリ。
【請求項４０】
前記当接部分は、前記逃げ孔の内壁に隣接する前記外側カバーの内面に配置される、請求項３６に記載の磁性バックル・アセンブリ。
【請求項４１】
前記バックル本体には、前記逃げ孔に対応する切欠きが形成され、前記切欠きは前記接続方向と平行であり、第２の係止部分の前記少なくとも１つの第２の仕切部は、第２の係止部分のオフセット・プロセス中に前記切欠き内に摺動する、請求項３６に記載の磁性バックル・アセンブリ。
【請求項４２】
２つのクリアランス構造が、第２の係止部分に互いに対向して形成される、請求項３４に記載の磁性バックル・アセンブリ。
【発明の詳細な説明】
【技術分野】
【０００１】
本発明は、バックル・アセンブリに関し、より具体的には磁性バックル・アセンブリに関する。
【背景技術】
【０００２】
経済の発展及び技術の進歩に伴い、人々の生活に便利さをもたらすために市場で入手可能な消費財が益々多くなっている。ベビーキャリア（baby  carrier）は、これらの消費財の１つである。
【０００３】
ベビーキャリアが、通常、複数のストラップと、ストラップを素早く接続又は接続解除するための複数のバックル・アセンブリとを含むことは周知である。
【０００４】
現在、従来のバックル・アセンブリは、通常、雄型バックル部品、雌型バックル部品、及び解除ボタンを含む。雄型バックル部品はストラップに接続され、雌型バックル部品は別のストラップに接続され、雄型バックル部品と雌型バックル部品との係合によってこれらストラップを互いに接続することができる。解除ボタンは、雄型バックル部品を雌型バックル部品から係合解除して、それらストラップを接続解除するためのボタンである。
【０００５】
しかしながら、従来のバックル・アセンブリは、操作が困難で構造が複雑であるという欠点を有している。
【０００６】
従って、上述した問題を解決するために、操作が容易で構造がコンパクトな改良されたバックル・アセンブリを提供することが必要とされている。
【発明の概要】
【０００７】
本発明の目的は、操作が容易で構造がコンパクトな磁性バックル・アセンブリを提供することである。
【０００８】
上述した目的を達成するために、本発明は磁性バックル・アセンブリを開示し、この磁性バックル・アセンブリは、雄型バックル部品、雌型バックル部品、第１の係止部分、第２の係止部分、操作部品、第１の磁性部品、及び第２の磁性部品を含む。第１の係止部分は、雄型バックル部品及び雌型バックル部品の一方に配置される。第２の係止部分は、雄型バックル部品及び雌型バックル部品の他方に配置され、且つ第１の係止部分と係合する。操作部品は、雄型バックル部品及び雌型バックル部品の他方に移動可能に配置される。第１の磁性部品は、雌型バックル部品に配置される。第２の磁性部品は、雄型バックル部品に配置され、且つ第１の磁性部品と磁気的に協働する。雄型バックル部品は、第１の係止部分と第２の係止部分との係合による接続方向に沿って雌型バックル部品に接続される。第１の磁性部品は、接続方向に沿った雄型バックル部品と雌型バックル部品との接続プロセス中に、第２の磁気部品を磁気的に引き付ける、又は磁気的に反発させ、第１の磁気部品は、雄型バックル部品と雌型バックル部品との分離を防ぐために第２の磁気部品を磁気的に引き付ける、又は操作部品が第１の係止部分を第２の係止部分から係合解除するように操作され、第１の係止部分と第２の係止部分との分離を可能にするときに、第１の係止部分と第２の係止部分との間の分離を促進するために第２の磁性部品を磁気的に反発する。
【０００９】
本発明の一実施形態によれば、第１の係止部分は弾性構造体である。第２の係止部分は、当接構造及び係合構造を含む。当接構造は、接続方向に沿った雄型バックル部品と雌型バックル部品との接続プロセス中に、第１の係止部分を押して弾性変形させ、それにより第１の係止部分は摺動して係合構造と係合し、操作部品は第１の係止部分を弾性変形させるように操作され、第１の係止部分を係合構造から係合解除する。
【００１０】
本発明の一実施形態によれば、第１の係止部分は、少なくとも１つの弾性アームと、係合構造と係合するための少なくとも１つの係合ヘッドとを含む。少なくとも１つの係合ヘッドは少なくとも１つの弾性アームに接続される。少なくとも１つの弾性アームは、少なくとも１つの係合ヘッドを付勢して係合構造と係合させる。当接構造は、接続方向に沿った雄型バックル部品と雌型バックル部品との接続プロセス中に、少なくとも１つの係合ヘッドを押して少なくとも１つの弾性アームを弾性変形させ、それにより少なくとも１つの係合ヘッドは摺動して係合構造と係合し、操作部品は、少なくとも１つの弾性アームを弾性変形させるように操作され、少なくとも１つの係合ヘッドを係合構造から係合解除する。
【００１１】
本発明の一実施形態によれば、操作部品は、接続方向と平行な操作方向に沿って少なくとも１つの弾性アームを押すように操作され、接続方向と交差する変形方向に沿って少なくとも１つの弾性アームを弾性変形させ、少なくとも１つの係合ヘッドを係合構造から係合解除する。
【００１２】
本発明の一実施形態によれば、操作部品は、接続方向に対して傾斜した少なくとも１つの当接傾斜面を含み、操作部品は、少なくとも１つの当接傾斜面によって少なくとも１つの弾性アームを押して弾性変形させるように操作される。
【００１３】
本発明の一実施形態によれば、少なくとも１つの係合ヘッドは係合構造を取り囲む。少なくとも１つの当接傾斜面は、当接構造から離れる方向に内側から外側に向けて傾斜しており、操作部品は、少なくとも１つの当接傾斜面によって少なくとも１つの弾性アームを外側に押して弾性的に拡げるように操作される。
【００１４】
本発明の一実施形態によれば、第１の係止部分は、第２の係止部分を取り囲む少なくとも２つの弾性アームと、少なくとも２つの係合ヘッドとを含み、少なくとも２つの弾性アームのそれぞれが、少なくとも２つの係合ヘッドの対応する１つに接続される。
【００１５】
本発明の一実施形態によれば、少なくとも１つの伸長脚部が、操作部品から接続方向に沿って延びており、少なくとも１つの当接傾斜面は、少なくとも１つの伸長脚部に形成される。
【００１６】
本発明の一実施形態によれば、第１の係止部分は、少なくとも１つの当接傾斜面と協働するために、少なくとも１つの係合ヘッドに接続された少なくとも１つの弾性アームの基端部に配置された少なくとも１つの従動傾斜面を含み、操作部品は、少なくとも１つの当接傾斜面と少なくとも１つの従動傾斜面との協働によって、少なくとも１つの弾性アームを押して弾性変形させるように操作される。
【００１７】
本発明の一実施形態によれば、凹部が、少なくとも１つの係合ヘッドに接続された少なくとも１つの弾性アームの基端部に形成される。少なくとも１つの伸長脚部は凹部内に延びる。少なくとも１つの従動傾斜面は凹部の壁に形成され、少なくとも１つの当接傾斜面は少なくとも１つの伸長脚部の端部に形成される。
【００１８】
本発明の一実施形態によれば、少なくとも１つの当接傾斜面は、少なくとも１つの伸長脚部の端部に形成され、且つ少なくとも１つの端部から離れる方向で少なくとも１つの弾性アームの先端部と協働する。
【００１９】
本発明の一実施形態によれば、磁性バックル・アセンブリは、操作部品を戻すための弾性回復力を与える弾性部品をさらに含む。
【００２０】
本発明の一実施形態によれば、当接構造の端部は、接続方向に対して傾斜した第１の傾斜構造を含む。少なくとも１つの係合ヘッドは、第１の傾斜構造と協働する第２の傾斜構造を含み、当接構造は、少なくとも１つの係合ヘッドに跨って摺動し、第１の傾斜構造と第２の傾斜構造との協働によって係合構造を少なくとも１つの係合ヘッドと係合させる。
【００２１】
本発明の一実施形態によれば、少なくとも１つの係合ヘッドはフックであり、係合構造は、フックに対応するフックスロットである。
【００２２】
本発明の一実施形態によれば、第１の設置チャンバが雌型バックル部品に形成される。第２の設置チャンバが雄型バックル部品に形成される。第１の磁性部品は第１の設置チャンバ内に設置され、第２の磁性部品は第２の設置チャンバ内に設置される。
【００２３】
本発明の一実施形態によれば、第１の設置チャンバは、接続方向に沿って第２の設置チャンバと整列している。
【００２４】
本発明の一実施形態によれば、第１の設置チャンバ又は第２の設置チャンバは、第２の係止部分の内側に形成される。
【００２５】
本発明の一実施形態によれば、第１の磁性部品及び第２の磁性部品の少なくとも一方が永久磁性部品である。
【００２６】
本発明の一実施形態によれば、操作部品は、円形ボタン又は矩形ボタンである。
【００２７】
本発明の一実施形態によれば、雄型バックル部品及び雌型バックル部品の一方が、外側カバーと、外側カバーの内側に配置されたバックル本体とを含み、操作部品は、接続方向に沿って外側カバーを通って移動可能に通過する。
【００２８】
本発明の一実施形態によれば、雄型バックル部品及び雌型バックル部品の他方及び外側カバーのそれぞれが、少なくとも１つのストラップを取り付けるための少なくとも１つの組付部分を含み、貫通孔が少なくとも１つの組付部分に形成され、少なくとも１つのストラップがその貫通孔を通過するのを可能にする。
【００２９】
本発明の一実施形態によれば、第２の係止部分は柱状構造である。雄型バックル部品は、第２の係止部分の周りで雌型バックル部品に対して回転可能である。雄型バックル部品及び雌型バックル部品の他方は、互いに対向する２つの組付部分を含み、外側カバーに対する２つの組付部分の位置は、雌型バックル部品に対する雄型バックル部品の回転によって調整可能である。
【００３０】
本発明の一実施形態によれば、配置孔が、第２の係止部分から離れる方向に外側カバーの第１面に形成される。操作部品は配置孔の内側に配置され、接続孔が、第２の係止部分に隣接する外側カバーの第２面に形成され、第２の係止部分がその接続孔を通過するのを可能にする。
【００３１】
本発明の一実施形態によれば、少なくとも１つのリブが、外側カバーから突出しており、且つ外側カバーの側壁に隣接している。
【００３２】
本発明の一実施形態によれば、磁性バックル・アセンブリは、雄型バックル部品及び雌型バックル部品の一方に配置され、且つ雄型バックル部品及び雌型バックル部品の一方に対して第１の位置と第２の位置との間で移動可能な保護部品をさらに含む。保護部品は、保護部品が第１の位置にあるときに、操作部品が第１の係止部分を第２の係止部分から係合解除するのを抑制し、操作部品は、保護部品が第２の位置にあるときに、第１の係止部分を第２の係止部分から係合解除するのを許容される。
【００３３】
本発明の一実施形態によれば、保護部品が第１の位置にあるときに、保護部品は操作部品と係合し、保護部品が第２の位置にあるときに、保護部品は操作部品から係合解除する。
【００３４】
本発明の一実施形態によれば、保護部品が第１の位置にあるときに、保護部品は操作部品を覆い、保護部品が第２の位置にあるときに、操作部品は露出される。
【００３５】
本発明の一実施形態によれば、操作部品は、接続方向と平行な操作方向に沿って雄型バックル部品及び雌型バックル部品の一方に摺動可能に配置され、保護部品は、接続方向と交差する摺動方向に沿って雄型バックル部品及び雌型バックル部品の一方に摺動可能に配置される。
【００３６】
本発明の一実施形態によれば、保護部品は、雄型バックル部品及び雌型バックル部品の一方に配置され、且つ雄型バックル部品及び雌型バックル部品の一方に対して第１の位置と第２の位置との間で摺動可能又は回転可能である。
【００３７】
本発明の一実施形態によれば、磁性バックル・アセンブリは、保護部品を付勢して第１の位置に摺動又は回転させる回復要素をさらに含む。
【００３８】
本発明の一実施形態によれば、保護部品は、カバー部分と、カバー部分に接続されたガイド部分とを含む。カバー部分は、操作部品を選択的に覆う又は露出させる。ガイド部分は、雄型バックル部品及び雌型バックル部品の一方に移動可能に配置され、カバー部分及びガイド部分は、接続方向に沿って互いに位置ずれしている。
【００３９】
本発明の一実施形態によれば、ガイド部分及びカバー部分の少なくとも一方は、雄型バックル部品及び雌型バックル部品の他方に向けて開口する中空構造である。
【００４０】
本発明の一実施形態によれば、保護部品は、第１の端部及び第２の端部を含む。保護部品の第１の端部は、弾性構造体であり、且つ雄型バックル部品及び雌型バックル部品の一方に接続され、保護部品の第２の端部は、操作部品を覆う又は露出させるように構成される。
【００４１】
本発明の一実施形態によれば、少なくとも１つのクリアランス構造が、第２の係止部分と、雄型バックル部品及び雌型バックル部品の一方との少なくとも１つに形成され、第１の係止部分が第２の係止部分と係合した後に、第２の係止部分が、接続方向と交差するオフセット方向に沿ってオフセット位置に摺動するのを可能にし、雄型バックル部品及び雌型バックル部品の一方は、第２の係止部分がオフセット位置にあるときに、雄型バックル部品と雌型バックル部品との分離を防止するために第２の係止部分に当接する当接部分を含む。
【００４２】
本発明の一実施形態によれば、第２の係止部分は、第１の係止部分と係合する少なくとも１つの第１の仕切部と、当接部分に当接する少なくとも１つの第２の仕切部とを含む。少なくとも１つのクリアランス構造は、第２の係止部分に形成された第１のクリアランス構造を含み、第１のクリアランス構造はクリアランス・スロットである。
【００４３】
本発明の一実施形態によれば、雄型バックル部品及び雌型バックル部品の一方は、外側カバーと、外側カバーの内側に配置されたバックル本体とを含む。第１の係止部分はバックル本体に配置される。接続孔が外側カバーの側面に形成され、第２の係止部分がその接続孔を通過するのを可能にする。少なくとも１つのクリアランス構造は、外側カバーに形成された第２のクリアランス構造をさらに含む。第２のクリアランス構造は、接続孔と連通する逃げ孔であり、当接部分は外側カバーに形成される。
【００４４】
本発明の一実施形態によれば、クリアランス・スロットの側壁は、第２の係止部分がオフセット位置にあるときに、逃げ孔の内壁に当接する。
【００４５】
本発明の一実施形態によれば、クリアランス・スロットの側壁の接触面と、逃げ孔の内壁の接触面とが平坦面である。
【００４６】
本発明の一実施形態によれば、接続孔は円弧状孔であり、逃げ孔は、矩形状孔であり、且つ円弧状孔と連通している。
【００４７】
本発明の一実施形態によれば、当接部分は、逃げ孔の内壁に隣接する外側カバーの内面に配置される。
【００４８】
本発明の一実施形態によれば、バックル本体には、逃げ孔に対応する切欠きが形成される。切欠きは接続方向と平行である。第２の係止部分の少なくとも１つの第２の仕切部は、第２の係止部分のオフセット・プロセス中に切欠き内に摺動する。
【００４９】
本発明の一実施形態によれば、２つのクリアランス構造が、第２の係止部分に互いに対向して形成される。
【００５０】
要約すると、本発明は、雄型バックル部品を雌型バックル部品に接続するために、第１の係止部分と第２の係止部分との係合を利用する。また、本発明は、雄型バックル部品と雌型バックル部品との間の接続を確実にするために、第１の磁性部品と第２の磁性部品との磁気的な協働をさらに利用する。従って、雄型バックル部品と雌型バックル部品との間の接続はより信頼性がより高くなる。第１の磁性部品が第２の磁性部品を磁気的に引き付けるように構成される場合に、操作部品を誤って操作することによって第１の係止部分及び第２の係止部分が互いに係合解除された状態で、雄型バックル部品を依然として雌型バックル部品に接続することができ、これは、使用時の安全性を向上させ、雄型バックル部品又は雌型バックル部品の係合解除によって雄型バックル部品又は雌型バックル部品が脱落して紛失することを防止する。一方、第１の磁性部品が第２の磁性部品を磁気的に反発するように構成される場合に、第１の係止部分及び第２の係止部分が、第１の磁性部品と第２の磁性部品との磁気的な反発力によって互いに当接するように駆動され得るので、雄型バックル部品を雌型バックル部品に接続することができ、これにより、雄型バックル部品と雌型バックル部品との接続がより確実になる。また、第１の係止部分及び第２の係止部分が操作部品によって互いに係合解除された状態で、第１の磁性部品と第２の磁性部品との磁気的な反発力によって、雄型バックル部品を雌型バックル部品から分離するように駆動することができ、これは、使用上の便利さを提供する。その上、本発明の磁性バックル・アセンブリは、構造がコンパクトであるという利点も有する。
【００５１】
本発明のこれら及び他の目的は、様々な図及び図面に示される好ましい実施形態の以下の詳細な説明を読んだ後に、当業者には確かに明らかになるであろう。
【図面の簡単な説明】
【００５２】
【図１】本発明の第１の実施形態による磁性バックル・アセンブリの概略図である。
【図２】本発明の第１の実施形態による磁性バックル・アセンブリの概略図である。
【図３】本発明の第１の実施形態による磁性バックル・アセンブリの分解図である。
【図４】本発明の第１の実施形態による磁性バックル・アセンブリの内部構造図である。
【図５】本発明の第１の実施形態による外側カバーを示さない状態の磁性バックル・アセンブリの図である。
【図６】本発明の第１の実施形態による雌型バックル部品の部分図である。
【図７】本発明の第２の実施形態による磁性バックル・アセンブリの概略図である。
【図８】本発明の第２の実施形態による磁性バックル・アセンブリの概略図である。
【図９】本発明の第２の実施形態による磁性バックル・アセンブリの内部構造図である。
【図１０】本発明の第２の実施形態による磁性バックル・アセンブリの部分分解図である。
【図１１】本発明の第３の実施形態による磁性バックル・アセンブリの分解図である。
【図１２】本発明の第３の実施形態による磁性バックル・アセンブリの分解図である。
【図１３】本発明の第３の実施形態による磁性バックル・アセンブリの内部構造図である。
【図１４】本発明の第４の実施形態による磁性バックル・アセンブリの概略図である。
【図１５】本発明の第４の実施形態による磁性バックル・アセンブリの断面図である。
【図１６】本発明の第４の実施形態による磁性バックル・アセンブリの概略図である。
【図１７】本発明の第４の実施形態による磁性バックル・アセンブリの概略図である。
【図１８】本発明の第４の実施形態による磁性バックル・アセンブリの概略図である。
【図１９】本発明の第４の実施形態による磁性バックル・アセンブリの部分図である。
【図２０】本発明の第４の実施形態による磁性バックル・アセンブリの分解図である。
【図２１】本発明の第４の実施形態による雌型バックル部品の部分図である。
【図２２】本発明の第４の実施形態による雄型バックル部品の図である。
【図２３】本発明の第５の実施形態による磁性バックル・アセンブリの概略図である。
【図２４】本発明の第５の実施形態による磁性バックル・アセンブリの概略図である。
【図２５】本発明の第５の実施形態による磁性バックル・アセンブリの分解図である。
【図２６】本発明の第５の実施形態による磁性バックル・アセンブリの分解図である。
【図２７】本発明の第５の実施形態による雄型バックル部品の図である。
【図２８】本発明の第５の実施形態による外側カバーの図である。
【図２９】本発明の第５の実施形態による雌型バックル部品の部分図である。
【図３０】本発明の第５の実施形態による操作部品の図である。
【図３１】本発明の第５の実施形態による磁性バックル・アセンブリの内部構造図である。
【図３２】本発明の第５の実施形態による磁性バックル・アセンブリの内部構造図である。
【発明を実施するための形態】
【００５３】
以下の好ましい実施形態の詳細な説明では、本明細書の一部を形成し、本発明を実施し得る特定の実施形態を例として示す添付図面を参照する。これに関して、「上」、「下」、「前」、「後」等の方向を示す用語は、説明される図（複数可）の向きに関して使用される。本発明の構成要素は、いくつかの異なる向きに配置することができる。そのように、方向を示す用語は、説明目的のために使用され、決して限定的ではない。従って、図面及び詳細な説明は、本質的に例示的であり、限定的ではないと見なされる。
【００５４】
図１〜図４を参照されたい。図１及び図２は、本発明の第１の実施形態による磁性バックル・アセンブリ１００の異なる視点での概略図である。図３は、本発明の第１の実施形態による磁性バックル・アセンブリ１００の分解図である。図４は、本発明の第１の実施形態による磁性バックル・アセンブリ１００の内部構造図である。図１〜図４に示されるように、磁性バックル・アセンブリ１００は、雌型バックル部品１、雄型バックル部品２、操作部品３、第１の磁性部品４、第２の磁性部品５、第１の係止部分１ａ、及び第２の係止部分２ａを含む。この実施形態では、第１の係止部分１ａ及び第１の磁性部品４を雌型バックル部品１に配置し、第２の係止部分２ａ及び第２の磁性部品５を雄型バックル部品２に配置することができる。第１の係止部分１ａと第２の係止部分２ａとの係合による接続方向に沿って、雄型バックル部品２を雌型バックル部品１に接続することができる。操作部品３は、第１の係止部分１ａを第２の係止部分２ａから係合解除させるために雌型バックル部品１に移動可能に配置され、雌型バックル部品２と雌型バックル部品１との分離を可能にする。
【００５５】
また、第１の磁性部品４は、第２の磁性部品５を磁気的に引き付けるように構成することができる。従って、第１の磁性部品４は、接続方向に沿った雄型バックル部品２と雌型バックル部品１との接続プロセス中に、第２の磁性部品５を磁気的に引き付けることができ、これにより、雄型バックル部品２と雌型バックル部品１とを素早く接続する目的を達成する。さらに、第１の磁性部品４は、雄型バックル部品２と雌型バックル部品１との分離を防止するために第２の磁性部品５を磁気的に引き付けることができ、操作部品３が第１の係止部分１ａを第２の係止部分２ａから係合解除するように操作されるときに、雄型バックル部品２と雌型バックル部品１との分離を可能にする。ただし、本発明は、それに限定されない。例えば、別の実施形態では、雄型バックル部品を雌型バックル部品に接続したときに、第１の磁性部品は、第２の磁性部品を磁気的に反発して、第１の係止部分を駆動して第２の係止部分に当接するように構成でき、これは、雄型バックル部品と雌型バックル部品との接続をより信頼性の高いものにする。また、操作部品によって第１の係止部分と第２の係止部分とが互いに係合解除されたときに、第１の磁性部品と第２の磁性部品との磁気的な反発力によって、雄型バックル部品を雌型バックル部品から分離するように駆動することができ、これは、使用時の便利さを提供する。
【００５６】
具体的には、この実施形態では、雌型バックル部品１は、外側カバー６及びバックル本体１ｂをさらに含むことができる。バックル本体１ｂは外側カバー６の内側に配置され、第１の係止部分１ａはバックル本体１ｂに配置される。操作部品３は、接続方向、すなわち図４の上下方向に沿って外側カバー６を移動可能に通過する。好ましくは、この実施形態では、操作部品３は、ユーザが操作部品３を容易に押すことによって第１の係止部分１ａを第２の係止部分２ａから係合解除するのを可能にするための円形ボタンであり得る。配置孔６１が、第２の係止部分２ａから離れる方向に外側カバー６の第１面、すなわち図４に示される外側カバー６の上面に形成され、操作部品３をその配置孔６１内に配置することができ、また、接続孔６２が、第２の係止部分２ａに隣接する外側カバー６の第２面、すなわち図４に示される外側カバー６の下面に形成され、第２の係止部分２ａをその接続孔６２に通過させて第１の係止部分１ａと係合させることができる。
【００５７】
外側カバー６は、雄型バックル部品２と雌型バックル部品１との協働をより確実にするだけでなく、環境からの埃による雄型バックル部品２又は雌型バックル部品１の摩耗損傷を防止することもでき、これにより、磁性バックル・アセンブリ１００の耐用年数を延ばし、且つ磁性バックル・アセンブリ１００の美観を向上させることができる。ただし、本発明は、この実施形態に限定されない。例えば、別の実施形態では、雌型バックル部品の外側カバーを省略する、すなわち、操作部品を雌型バックル部品のバックル本体に直接的に配置することができる。あるいはまた、別の実施形態では、雄型バックル部品は、外側カバーと、外側カバーの内側に配置されたバックル本体とを含むことができる。第１の係止部分及び第２の係止部分は、それぞれ、雄型バックル部品のバックル本体及び雌型バックル部品のバックル本体に配置することができる。操作部品は、第１の係止部分を第２の係止部分から係合解除するために、雄型バックル部品の外側カバー上に対応して移動可能に配置され得る。
【００５８】
図３〜図６を参照されたい。図５は、本発明の第１の実施形態による外側カバー６を示さない状態の磁性バックル・アセンブリ１００の図である。図６は、本発明の第１の実施形態による雌型バックル部品１の部分図である。図３〜図６に示されるように、第１の係止部分１ａは弾性構造体である。第２の係止部分２ａは、当接構造２１と係合構造２２とを含む。当接構造２１は、接続方向に沿った雄型バックル部品２と雌型バックル部品１との接続プロセス中に、第１の係止部分１ａを押して弾性変形させることができ、それにより第１の係止部分１ａを摺動して係合構造２２と係合させることができる。従って、当接構造２１によって、係合構造２２を第１の係止部分１ａに容易且つ円滑に係合させることができる。また、操作部品３を操作して第１の係止部分１ａを弾性変形させ、第１の係止部分１ａを係合構造２２から係合解除させることができる。
【００５９】
具体的には、第１の係止部分１ａは、２つの弾性アーム１１及び２つの係合ヘッド１２を含む。各係合ヘッド１２は、係合構造２２と係合するために対応する弾性アーム１１に接続される。好ましくは、図３に示されるように、この実施形態では、各弾性アーム１１及び対応する係合ヘッド１２は一体的に形成された構造であり、２つの係合ヘッド１２は２つの弾性アーム１１によって雌型バックル部品１の中央部分の内側に吊り下げられ、それにより２つの弾性アーム１１は２つの係合ヘッド１２を確実に駆動して移動させることができる。２つの弾性アーム１１は、２つの係合ヘッド１２を付勢して係合構造２２と係合させるためのものである。従って、当接構造２１は、接続方向に沿った雄型バックル部品２と雌型バックル部品１との接続プロセス中に、２つの係合ヘッド１２を押して２つの弾性アーム１１を弾性変形させ、それにより２つの係合ヘッド１２は係合構造２２と係合するように摺動することができ、これにより、雄型バックル部品２と雌型バックル部品１との接続プロセス中に、雄型バックル部品２と雌型バックル部品１との自動的な係合の目的が達成される。
【００６０】
また、操作部品３を操作して２つの弾性アーム１１を弾性変形させて、２つの係合ヘッド１２を係合構造２２から係合解除させる。好ましくは、この実施形態では、操作部品３は、接続方向と平行な操作方向に沿って２つの弾性アーム１１を押すように操作され、接続方向と交差する２つの変形方向に沿って２つの弾性アーム１１を弾性変形させ、２つの係合ヘッド１２を係合構造２２から係合解除することができ、これは、２つの係合ヘッド１２と係合構造２２との係合解除を容易にする。
【００６１】
好ましくは、この実施形態では、２つの弾性アーム１１は協働して第２の係止部分２ａを取り囲むことができ、２つの係合ヘッド１２は協働して係合構造２２を取り囲むことができる。このような構成により、２つの係合ヘッド１２と係合構造２２との係合をより確実にすることができ、雄型バックル部品２と雌型バックル部品１との接続を確実にすることができる。ただし、本発明は、これに限定されない。例えば、別の実施形態では、弾性アーム及び係合ヘッドの数は、１つ、３つ、４つ、又は５つであってもよい。
【００６２】
好ましくは、この実施形態では、各係合ヘッド１２をフックとし、係合構造２２をそのフックに対応するフックスロットとすることができ、フックとフックスロットの係合によって、雄型バックル部品２を雌型バックル部品１に堅く接続することができる。さらに、雌型バックル部品１のバックル本体１ｂは中空（hollow）構造にすることができ、雌型バックル部品１は、雌型バックル部品１のバックル本体１ｂの中央部分に配置され、２つの弾性アーム１１１の間に配置され、雌型バックル部品１の構造強度を補強するために、雌型バックル部品１のバックル本体１ｂの２つの対向する側面に接続された支持アーム１４をさらに含むことができる。
【００６３】
図３〜図６に示されるように、当接構造２１の端部が、接続方向に対して傾斜した第１の傾斜構造２１１を含む。各係合ヘッド１２は、第１の傾斜構造２１１と協働する第２の傾斜構造１２１を含む。当接構造２１は、２つの係合ヘッド１２に跨って（across）摺動し、第１の傾斜構造２１１と第２の傾斜構造１２１との協働によって、係合構造２２を２つの係合ヘッド１２に容易に係合させることができ、これは、雄型バックル部品２と雌型バックル部品１との接続を容易にする。
【００６４】
また、操作部品３は、接続方向に対して傾斜した２つの当接傾斜面３１を含み、操作部品３は、２つの当接傾斜面３１によって、２つの弾性アーム１１を押して弾性変形させるように操作され、２つの係合ヘッド１２を係合構造２２から係合解除することができる。２つの係合ヘッド１２が協働して係合構造２２を取り囲むので、各当接傾斜面３１は、対応する係合ヘッド１２から離れる方向に内側から外側に向けて傾斜するように構成することができる。従って、操作部品３は、２つの当接傾斜面３１によって、２つの弾性アーム１１を外側に押して弾性的に拡げるように操作され、２つの係合ヘッド１２を駆動して外側に移動させて２つの弾性アーム１１によって係合構造２２から係合解除することができる。ただし、本発明は、この実施形態に限定されない。例えば、別の実施形態では、各係合ヘッドを内側に移動するように駆動して２つの弾性アームによって係合構造から係合解除することができる。
【００６５】
また、２つの伸長脚部３２が操作部品３から接続方向に沿って延びており、各当接傾斜面３１が、対応する伸長脚部３２に形成される。第１の係止部分１ａは、２つの従動傾斜面１１１を含む。各従動傾斜面１１１は、対応する当接傾斜面３１と協働するために、対応する係合ヘッド１２に接続された対応する弾性アーム１１の基端部に配置される。操作部品３は、２つの当接傾斜面３１と２つの従動傾斜面１１１との協働によって２つの弾性アーム１１を押して弾性変形させるように操作され、２つの係合ヘッド１２を係合構造２２から係合解除することができる。好ましくは、この実施形態では、凹部１１２を、対応する係合ヘッド１２に接続された各弾性アームの基端部に形成することができる。各伸長脚部３２は、対応する凹部１１２内に延びる。各従動傾斜面１１１は、対応する凹部１１２の壁に形成される。各当接傾斜面３１は、対応する伸長脚部３２の端部に形成される。このような構成により、操作部品３を容易に操作して２つの弾性アーム１１を押して変形させることができる。さらに、２つの伸長脚部３２が、２つの弾性アーム１１の基端部に隣接する２つの凹部１１２上で２つの従動傾斜面１１１と直接的に協働することができるので、２つの弾性アーム１１を素早く変形させ、２つの係合ヘッド１２を係合構造２２から素早く係合解除することができる。その上、伸長脚部３２の当接傾斜面３１と弾性アーム１１の基端部との協働により、操作部品３を２つの弾性アーム１１によって回復するように駆動することができる。ただし、本発明は、これに限定されない。例えば、別の実施形態では、当接傾斜面、伸長脚部、凹部、及び従動傾斜面の数は、弾性アームが１つしかない場合には、１つにすることもできる。
【００６６】
図３、図４、及び図６に示されるように、第１の設置チャンバ１３が、雌型バックル部品１に形成され、第２の設置チャンバ２３が、雄型バックル部品２に形成される。第１の磁性部品４は第１の設置チャンバ１３内に設置され、第２の磁性部品５は第２の設置チャンバ２３内に設置され、それにより第１の磁性部材４及び第２の磁性部材５をそれぞれ雌型バックル部品１及び雄型バックル部品２の内側に隠すことができる。具体的には、この実施形態では、第１の磁性部材４と第２の磁性部材５との磁気的な協働を最大化するように、接続方向に沿って第１の設置チャンバ１３を第２の設置チャンバ２３と整列させることができ、これにより、雄型バックル部品２と雌型バックル部品１との素早い接続という目的、及び雄型バックル部品２と雌型バックル部品１との分離防止という目的を達成することができる。この実施形態では、第２の設置チャンバ２３を第２の係止部分２ａの内側に形成することができ、第１の設置チャンバ１３を雌型バックル部品１の中央部分の内側、より具体的には支持アーム１４の中央部分に形成することができ、これにより、磁性バックル・アセンブリ１００の構造を合理的且つコンパクトにし、材料を節約する目的を達成することができる。
【００６７】
さらに、この実施形態では、第１の磁性部品４及び第２の磁性部品５のそれぞれは、永久磁性部品とすることができる。ただし、本発明は、この実施形態に限定されない。例えば、別の実施形態では、第１の磁性部品及び第２の磁性部品の一方を永久磁性部品とすることができ、第１の磁性部品及び第２の磁性部品の他方を金属構造体等の導電磁性部品とすることができる。好ましくは、第１の磁性部品４の厚さは、３．０〜５．５ミリメートル（ｍｍ）であり得る。より好ましくは、第１の磁性部品４の厚さは、３．０、３．８、４．５、５．０、又は５．５ｍｍであってもよい。この実施形態では、第１の磁性部品４の厚さは、３．８ｍｍとすることができる。別の実施形態では、第２の係止部分が雌型バックル部品に配置される場合に、第１の設置チャンバを第２の係止部分の内側に形成することができることに留意されたい。
【００６８】
図１、図２、図３、及び図５に示されるように、雄型バックル部品２及び外側カバー６のそれぞれは、少なくとも１つのストラップを取り付けるための少なくとも１つの組付部分を含む。好ましくは、雄型バックル部品２は互いに対向する２つの組付部分を含み、外側カバー６は１つの組付部分を含むことができる。外側カバー６の組付部分は、ストラップの組付けを容易にするために、雄型バックル部品２の２つの組付部分のうちの一方と常に位置ずれした状態であり得る。具体的には、貫通孔２４が雄型バックル部品２の２つの組付部分のそれぞれに形成され、貫通孔６３が外側カバー６の組付部分に形成され得る。ストラップを雄型バックル部品２の２つの組付部分に通過させることによって、雄型バックル部品２を、図示しない第１の布面に固定することができる。ストラップを外側カバー６の組付部分に通過させることによって、雌型バックル部品１を、図示しない第２の布面に固定することができる。従って、磁性バックル・アセンブリ１００によって、第１の布面を、第２の布面に着脱可能に接続することができる。
【００６９】
この本実施形態では、第２の係止部分２ａを柱状構造とすることができるので、雄型バックル部品２を第２の係止部分２ａの周りで雌型バックル部品１に対して回転させることができ、これにより、使用時の自由度が増す。外側カバー６に対する２つの組付部分の位置は、雌型バックル部品１に対する雄型バックル部品２の回転によって調整可能であるので、雄型バックル部品２の２つの組付部分のいずれか一方を、外側カバー６の組付部分と併用することができる。雄型バックル部品２の２つの組付部分の一方が破損した場合に、雌型バックル部品１に対する雄型バックル部品２の回転によって、雄型バックル部品２の２つの組付部分の他方を、外側カバー６の組付部分と併用することができ、これにより、磁性バックル・アセンブリ１００の耐久性をより向上させる。
【００７０】
図１〜図６に示されるように、この実施形態の磁性バックル部品１００の動作原理は以下の通りである。雄型バックル部品２を雌型バックル部品１から分離又は係合解除したいときに、操作部品３を下方に押して伸長脚部３２を駆動させ、弾性アーム１１の凹部１１２上の従動傾斜面１１１を押すことができる。伸長脚部３２の当接傾斜面３１と凹部１１２の従動傾斜面１１１との協働により、弾性アーム１１は外側に弾性的に拡がり、弾性アーム１１に接続された係合ヘッド１２を駆動して外側に移動させ、第２の係止部分２ａの係合構造２２から係合解除し、雌型バックル部品１と雄型バックル部品２との分離を可能にする。この時点では、雄型バックル部品２は、第１の磁性部品４と第２の磁性部品５との磁気的な引力により、依然として雌型バックル部品１に接続される。その後、第１の磁性部品４と第２の磁性部品５との磁気的な引力に打ち勝つように、雌型バックル部品１及び雄型バックル部品２が互いに引き離されると、雌型バックル部品１を雄型バックル部品２から分離又は係合解除することができる。
【００７１】
雄型バックル部品２を雌型バックル部品１に接続したいときに、雄型バックル部品２及び雌型バックル部品１を移動させて、外側カバー６上で第２の係止部分２ａを接続孔６２と整列させ、次に、雄型バックル部品２及び雌型バックル部品１を互いに向けて移動させるだけでよい。第１の磁性部品４及び第２の磁性部品５の磁気的な引力によって、第２の係止部分２ａの当接構造２１が係合ヘッド１２に跨って摺動することができ、それにより係合構造２２及び係合ヘッド１２が互いに係合することができ、これにより、図４に示されるように、雄型バックル部品２と雌型バックル部品１とを接続する目的が達成される。
【００７２】
図７〜図１０を参照されたい。図７及び図８は、本発明の第２の実施形態による磁性バックル・アセンブリ１００ａの異なる視点での概略図である。図９は、本発明の第２の実施形態による磁性バックル・アセンブリ１００ａの内部構造図である。図１０は、本発明の第２の実施形態による磁性バックル・アセンブリ１００ａの部分分解図である。図７〜図１０に示されるように、第１の実施形態とは異なり、複数のリブ６４が、この実施形態の外側カバー６の２つの対向する側壁から突出し、摩擦を提供してユーザが磁性バックル・アセンブリ１００ａを容易に操作するのを促進する。ただし、本発明は、この実施形態に限定されない。例えば、別の実施形態では、リブの数は１つでもよい。また、この実施形態では、各伸長脚部３２の当接傾斜面３１は、対応する弾性アーム１１の先端部と協働するために、対応する係合ヘッド１２から離れる方向に対応する弾性アーム１１の先端部に隣接して配置される。換言すれば、各伸長脚部３２は、対応する弾性アーム１１と支持アーム１４との間に位置し、且つ対応する弾性アーム１１の先端部と直接的に協働するので、この実施形態では、従動傾斜面１１１及び凹部１１２を省略することができる。さらに、この実施形態の支持アーム１４は、互いに離間した２つの伸長脚部３２の間のギャップと係合するように構成することができる。
【００７３】
その上、この実施形態では、各伸長脚部３２が対応する弾性アーム１１の先端部と直接的に協働するので、２つの弾性アーム１１によって発生した回復力は、操作部品３を回復させるには小さ過ぎる可能性がある。従って、磁性バックル・アセンブリ１００ａは、操作部品３を戻すための弾性回復力を与える弾性部品７をさらに含むことができる。好ましくは、弾性部品７は、操作部品３と雌型バックル部品１との間に当接する弾性バネであり得、第１の設置チャンバ１３と整列され得る。ただし、本発明は、これに限定されない。例えば、別の実施形態では、弾性部品は、プラスチック材料製の弾性構造体とすることもできる。また、この実施形態の第１の磁性部品４の厚さは、５．０ｍｍとすることができる。
【００７４】
この実施形態の磁性バックル・アセンブリ１００ａの他の構造は、第１の実施形態の磁性バックル・アセンブリ１００の構造と同様である。簡単にするために、詳細な説明をここでは省略する。
【００７５】
図７〜図１０に示されるように、この実施形態の磁性バックル・アセンブリ１００ａの動作原理は以下の通りである。雄型バックル部品２を雌型バックル部品１から分離又は接続解除したいときに、操作部品３を下方に押して弾性部７を弾性圧縮することができる。上述したプロセス中に、操作部品３の伸長脚部３２上の当接傾斜面３１は、係合ヘッド１２から離れる方向に弾性アーム１１の先端部と協働し、それにより弾性アーム１１は外側に拡がり、弾性アーム１１に接続された係合ヘッド１２を駆動して外側に移動させ、第２の係止部分２ａの係合構造２２から係合解除し、雄型バックル部品２と雌型バックル部品１との分離を可能にする。この時点で、雄型バックル部品２は、第１の磁性部品４と第２の磁性部品５との磁気的な引力により、依然として雌型バックル部品１に接続される。その後、第１の磁性部品４と第２の磁性部品５との磁気的な引力に打ち勝つために、雌型バックル部品１及び雄型バックル部品２を互いに引き離すと、雌型バックル部品１を雄型バックル部品２から分離又は係合解除することができる。
【００７６】
雄型バックル部品２を雌型バックル部品１に接続したいときに、雄型バックル部品２及び雌型バックル部品１を移動させ、外側カバー６上で第２の係止部分２ａを接続孔６２に整列させ、次に、雄型バックル部品２及び雌型バックル部品１を互いに向けて移動させるだけでよい。第１の磁性部品４と第２の磁性部品５との磁気的な引力によって、第２の係止部分２ａの当接構造２１が係合ヘッド１２に跨って摺動することができ、それにより係合構造２２及び係合ヘッド１２を互いに係合させることができ、これにより、雄型バックル部品２と雌型バックル部品１とを接続する目的が達成される。
【００７７】
図１１〜図１３を参照されたい。図１１及び図１２は、本発明の第３の実施形態による磁性バックル・アセンブリ１００ｂの異なる視点での分解図である。図１３は、本発明の第３の実施形態による磁性バックル・アセンブリ１００ｂの内部構造図である。図１１〜図１３に示されるように、前述した実施形態とは異なり、この実施形態の操作部品３は、矩形状ボタンとすることができる。また、この実施形態では、リブを省略することができる。さらに、この実施形態の弾性部材７は、操作部品３と雌型バックル部品１との間で当接し、第１の設置チャンバ１３と位置ずれし得る。
【００７８】
この実施形態の磁性バックル・アセンブリ１００ｂの他の構造及び動作原理は、第２の実施形態の磁性バックル・アセンブリ１００ａと同様である。簡単にするために、詳細な説明をここでは省略する。
【００７９】
図１４〜図２２を参照されたい。図１４は、本発明の第４の実施形態による磁性バックル・アセンブリ１００ｃの概略図である。図１５は、本発明の第４の実施形態による磁性バックル・アセンブリ１００ｃの断面図である。図１６〜図１８は、本発明の第４の実施形態による異なる状態での磁性バックル・アセンブリ１００ｃの概略図である。図１９は、本発明の第４の実施形態による磁性バックル・アセンブリ１００ｃの部分図である。図２０は、本発明の第４の実施形態による磁性バックル・アセンブリ１００ｃの分解図である。図２１は、本発明の第４の実施形態による雌型バックル部品１の部分図である。図２２は、本発明の第４の実施形態による雄型バックル部品２の図である。図１４〜図２２に示されるように、前述した実施形態とは異なり、この実施形態の磁性バックル・アセンブリ１００ｃは、保護アセンブリ８をさらに含む。保護アセンブリ８は、接続方向と交差する摺動方向に沿って雌型バックル部品１に摺動可能に配置され、且つ雌型バックル部品１に対して第１の位置と第２の位置との間で移動可能である保護部品８２を含む。好ましくは、この実施形態では、摺動スロット６５が、第２の係止部分２ａから離れる方向に外側カバー６の第１面、すなわち外側カバー６の上面に形成され、保護部品８２は、摺動スロット６５の内側に摺動可能に配置され、且つ第１の位置と第２の位置との間で摺動可能に切り替えることができる。保護部品８２は、保護部品８２が第１の位置にあるときに、操作部品３が第１の係止部分１ａを第２の係止部分２ａから係合解除するのを抑制することができ、操作部品３は、保護部品８２が第２の位置にあるときに、第１の係止部分１ａを第２の係止部分２ａから係合解除させることができる。ただし、本発明は、この実施形態に限定されない。例えば、別の実施形態では、保護部品は、雄型バックル部品に回転可能に配置することもでき、且つ操作部品が雄型バックル部品に配置されるときに、回転によって第１の位置と第２の位置との間で移動することができる。
【００８０】
この実施形態では、保護部品８２は、第１の端部及び第２の端部を含む。保護部品８２の第１の端部は、弾性アーム又は弾性脚部等の弾性構造体であり、且つ雌型バックル部品１に接続され、それにより保護部品８２の変形した第１の端部によって、保護部品８２の第２の端部を付勢して回復させることができる。保護部品８２の第２の端部は、保護部品８２が第１の位置にあるときに、操作部品３を操作するのを防止するために、操作部品３を覆うように構成される。保護部品８２の第２の端部は、保護部品８２が第２の位置にあるときに、操作部品３を操作できるように操作部品３を露出させるように構成される。ただし、本発明は、この実施形態に限定されない。操作部品３の操作を可能にする又は防止することができるあらゆる構造が本発明の範囲内に含まれる。例えば、別の実施形態では、保護部品は、保護部品が第１の位置にあるときに、操作部品を操作するのを防止するために、操作部品と係合するように構成することもできる。保護部品は、保護部品が第２の位置にあるときに、操作部品を操作できるように、操作部品から係合解除するように構成され得る。
【００８１】
好ましくは、磁性バックル・アセンブリ１００ｃの保護アセンブリ８は、保護部品８２を付勢して第１の位置に摺動させるための回復要素８１をさらに含むことができる。回復要素８１は、接続方向と交差する配置方向に沿って配置される。回復要素８１は、保護部品８２と雌型バックル部品１との間に当接する弾性バネであり得る。具体的には、保護部品８２は、カバー部分８２１と、カバー部分８２１に接続されたガイド部分８２２とを含む。カバー部分８２１は、操作部品３を選択的に覆う又は露出させる。ガイド部分８２２は雌型バックル部品１に移動可能に配置されており、カバー部分８２１及びガイド部分８２２は接続方向に沿って互いに位置ずれして階段状構造を形成している。カバー部分８２１は、ガイド部分８２２によって案内されて第１の位置に移動して操作部品３を覆うことができる。好ましくは、この実施形態では、ガイド部分８２２及びカバー部分８２１のそれぞれは、雄型バックル部品２に向いた開口部を含む中空構造とすることができ、カバー部分８２１が操作部品３を覆うのを容易にし、磁性バックル・アセンブリ１００ｃの美観を向上させることができる。ただし、本発明は、この実施形態に限定されない。例えば、別の実施形態では、保護部品及び操作部品が雄型バックル部品に配置され得るときに、回復要素は、雄型バックル部品と保護部品のガイド部分との間に配置され得る。
【００８２】
この実施形態の磁性バックル・アセンブリ１００ｃの他の構造及び動作原理は、前述した実施形態で説明したものと同様である。簡単にするために、詳細な説明をここでは省略する。
【００８３】
図２３〜図３２を参照されたい。図２３及び図２４は、本発明の第５の実施形態による磁性バックル・アセンブリ１００ｄの異なる視点での概略図である。図２５及び図２６は、本発明の第５の実施形態による磁性バックル・アセンブリ１００ｄの異なる視点での分解図である。図２７は、本発明の第５の実施形態による雄型バックル部品２の図である。図２８は、本発明の第５の実施形態による外側カバー６の図である。図２９は、本発明の第５の実施形態による雌型バックル部品１の部分図である。図３０は、本発明の第５の実施形態による操作部品３の図である。図３１及び図３２は、本発明の第５の実施形態による磁性バックル・アセンブリ１００ｄの異なる視点での内部構造図である。図２３〜図３２に示されるように、上述した実施形態とは異なり、この実施形態の雌型バックル部品１は、第１の磁性部品４を覆って支持するために、第１の設置チャンバ１３の内側に配置される支持カバー１５をさらに含む。また、２つの第１のクリアランス構造９ａが、第２の係止部分２ａに形成される。雌型バックル部品１は、第２の係止部分２ａがオフセット位置にあるときに、雄型バックル部品２と雌型バックル部品１との分離を防止するために第２の係止部分２ａに当接する当接部分１６を含む。好ましくは、この実施形態では、各第１のクリアランス構造９ａはクリアランス・スロットとすることができ、２つのクリアランス・スロットは、互いに対向し、且つ接続方向と交差するオフセット方向と平行な方向に沿って互いに離間し得る。第２の係止部分２ａは、２つの第１の仕切部２ａ１及び２つの第２の仕切部２ａ２を含むことができる。２つの第１の仕切部２ａ１は、互いに対向し、且つオフセット方向に垂直な方向に沿って互いに離間し得る。２つの第２の仕切部２ａ２は、互いに対向し、且つオフセット方向と平行な方向に沿って互いに離間し得る。すなわち、各第２の仕切部２ａ２は、隣接し、且つ２つの第２の仕切部２ａ１の間に位置している。第１の仕切部２ａ１は第１の係止部分１ａと係合することができる。当接部分１６は、２つの第２の仕切部２ａ２のうちの一方に当接することができ、雄型バックル部品２と雌型バックル部品１との整列の時間を節約し、使用上の利便性をもたらすことができる。ただし、クリアランス・スロット、第１の仕切部２ａ１、及び第２の仕切部２ａ２の数は、この実施形態に限定されない。
【００８４】
また、第２のクリアランス構造９ｂが、雌型バックル部品１の外側カバー６に形成される。好ましくは、この実施形態では、第２のクリアランス構造９ｂは、接続孔６２と連通する逃げ（clearance）孔とすることができ、当接部分１６は、雌型バックル部品１の外側カバー６に形成される。第２の係止部分２ａが接続孔６２を通過して第１の係止部分１ａと係合した後に、第２の係止部分２ａは、逃げ孔に向けてオフセット位置まで摺動することができる。好ましくは、当接部分１６は、逃げ孔の内壁に隣接する外側カバー６の内面に配置され、これにより、当接部分１６が、第２の係止部分２ａのオフセット・プロセス中に対応する第２の仕切部２ａ２に素早く当接することができる。
【００８５】
さらに、２つのクリアランス・スロットの側壁の接触面と逃げ孔の内壁の接触面とを平坦面とすることができるので、逃げ孔の内壁の逃げ面は、第２の係止部分２ａがオフセット位置にあるときに、対応するクリアランス・スロットの側壁の接触面に取り付け、当接させることができ、それにより、雄型バックル部品２と雌型バックル部品１との偶発的な係合解除を効果的に防止する。ただし、本発明は、この実施形態に限定されない。例えば、クリアランス・スロットの側壁の接触面と逃げ孔の内壁の接触面とが曲面であってもよい。また、接続孔は好ましくは円弧状孔とすることができ、逃げ孔は、好ましくは矩形状孔であり、且つ円弧状孔と連通することができる。
【００８６】
ただし、本発明は、この実施形態に限定されない。第１の係止部分１ａが第２の係止部分２ａに係合した後に、雄型バックル部品２と雌型バックル部品１との係合解除を防止するために、第２の係止部分２ａを、接続方向と交差するオフセット方向に沿ってオフセット位置まで摺動させることができるあらゆる構造又は構成が、本発明の範囲内に含まれる。例えば、別の実施形態では、少なくとも１つのクリアランス構造を第２の係止部分及び雌型バックル部品の少なくとも一方に形成し、第１の係止部分が第２の係止部分と係合した後に、第２の係止部分を接続方向と交差するオフセット方向に沿ってオフセット位置まで摺動させることができる。あるいはまた、第２の係止部分が雌型バックル部品に配置される場合に、少なくとも１つのクリアランス構造を雄型バックル部品に形成することができる。
【００８７】
また、好ましくは、この実施形態では、切欠き１７が、バックル本体１ｂに形成され、且つ逃げ孔に対応させることができる。切欠き１７は、接続方向と平行である。第２の係止部分２ａの第２の仕切部２ａ２は、第２の係止部分２ａのオフセット・プロセス中に、切欠き１７内に摺動することができる。換言すれば、切欠き１７によって、第２の係止部分のオフセット・プロセス中に、第２の仕切部２ａ２が邪魔にならずに摺動することを可能にする。
【００８８】
この実施形態の磁性バックル・アセンブリ１００ｄの他の構造及び動作原理は、前述した実施形態で説明したものと同様である。簡単にするために、詳細な説明をここでは省略する。
【００８９】
従来技術とは対照的に、本発明は、雄型バックル部品を雌型バックル部品に接続するために、第１の係止部分と第２の係止部分との係合を利用する。また、本発明は、雄型バックル部品と雌型バックル部品との間の接続を確実にするために、第１の磁性部品と第２の磁性部品との磁気的な協働をさらに利用する。従って、雄型バックル部品と雌型バックル部品との間の接続は信頼性がより高くなる。第１の磁性部品が第２の磁性部品を磁気的に引き付けるように構成される場合に、操作部品を誤って操作することによって第１の係止部分及び第２の係止部分が互いに係合解除された状態で、雄型バックル部品を依然として雌型バックル部品に接続することができ、これは、使用時の安全性を向上させ、雄型バックル部品又は雌型バックル部品の係合解除によって雄型バックル部品又は雌型バックル部品が脱落して紛失することを防止する。一方、第１の磁性部品が第２の磁性部品を磁気的に反発するように構成される場合に、第１の係止部分及び第２の係止部分が第１の磁性部品と第２の磁性部品との磁気的な反発力によって互いに当接するように駆動され得るので、雄型バックル部品を雌型バックル部品に接続することができ、これにより、雄型バックル部品と雌型バックル部品との接続がより確実になる。また、第１の係止部分及び第２の係止部分が操作部品によって互いに係合解除された状態で、第１の磁性部品と第２の磁性部品との磁気的な反発力によって、雄型バックル部品を雌型バックル部品から分離するように駆動することができ、これは、使用上の便利さを提供する。その上、本発明の磁性バックル・アセンブリは、構造がコンパクトであるという利点も有する。
【００９０】
当業者は、本発明の教示を維持しながら、装置及び方法の多数の修正及び変更をなし得ることを容易に理解するであろう。従って、上記の開示は、添付の特許請求の範囲の境界及び範囲によってのみ限定されると解釈すべきである。
【図１】
2019098192.tif 000003
【図２】
2019098192.tif 000004
【図３】
2019098192.tif 000005
【図４】
2019098192.tif 000006
【図５】
2019098192.tif 000007
【図６】
2019098192.tif 000008
【図７】
2019098192.tif 000009
【図８】
2019098192.tif 000010
【図９】
2019098192.tif 000011
【図１０】
2019098192.tif 000012
【図１１】
2019098192.tif 000013
【図１２】
2019098192.tif 000014
【図１３】
2019098192.tif 000015
【図１４】
2019098192.tif 000016
【図１５】
2019098192.tif 000017
【図１６】
2019098192.tif 000018
【図１７】
2019098192.tif 000019
【図１８】
2019098192.tif 000020
【図１９】
2019098192.tif 000021
【図２０】
2019098192.tif 000022
【図２１】
2019098192.tif 000023
【図２２】
2019098192.tif 000024
【図２３】
2019098192.tif 000025
【図２４】
2019098192.tif 000026
【図２５】
2019098192.tif 000027
【図２６】
2019098192.tif 000028
【図２７】
2019098192.tif 000029
【図２８】
2019098192.tif 000030
【図２９】
2019098192.tif 000031
【図３０】
2019098192.tif 000032
【図３１】
2019098192.tif 000033
【図３２】
2019098192.tif 000034
【外国語明細書】
2019098192000001.pdf